(57)【要約】【課題】床面吸込み具において、床ノズルに対して、パイプの先端に接続した小型ノズルの接続状態を使用者が容易に把握することができる電気掃除機を提供。【解決手段】上記の課題を解決する為には、電気掃除機において、塵挨を集塵する集塵部と、集塵部に向けて吸引力を発生させる電動送風機と、電動送風機が発生させる吸引力により床面上の塵挨を吸引する床面吸込み具と、床面吸込み具に接続して、吸引した塵挨が集塵部へと向かう流路を形成するパイプと、を有し、床面吸込み具は、床ノズルと、床ノズルに着脱自在に設けられる小型ノズルから成り、パイプは小型ノズルに接続し、床ノズルに小型ノズルが接続することで、パイプと床面吸込み具は連通して、床面吸込み具から集塵部へと至る吸引した塵挨の流路が形成され、小型ノズルが床ノズルに正しく接続したことを報知する報知部を備えればよい。【選択図】図２
2018175753.tif 000002
【特許請求の範囲】
【請求項１】
塵挨を集塵する集塵部と、
前記集塵部に向けて吸引力を発生させる電動送風機と、
前記電動送風機が発生させる吸引力により床面上の塵挨を吸引する床面吸込み具と、
前記床面吸込み具に接続して、吸引した塵挨が前記集塵部へと向かう流路を形成するパイプと、
を有し、
前記床面吸込み具は、床ノズルと、前記床ノズルに着脱自在に設けられる小型ノズルから成り、
前記パイプは前記小型ノズルに接続し、前記床ノズルに前記小型ノズルが接続することで、前記パイプと前記床面吸込み具は連通して、前記床面吸込み具から前記集塵部へと至る吸引した塵挨の流路が形成され、
前記小型ノズルが前記床ノズルに正しく接続したことを報知する報知部を有することを特徴とする電気掃除機。
【請求項２】
前記報知部は、発光手段であることを特徴とする請求項１に記載の電気掃除機。
【請求項３】
前記発光手段は、前記床ノズルに設けられ、前記床ノズルに前記小型ノズルが接続することで、前記パイプ側から前記床面吸込み具側に電力が供給されて、発光することを特徴とする請求項２に記載の電気掃除機。
【請求項４】
前記発光手段は、前記床面吸込み具に設けられた光を導光する導光手段であり、
前記小型ノズルは清掃する位置を照らす照明手段を有し、
前記小型ノズルが前記床ノズルに接続することにより、前記照明手段の光が、前記導光手段に入り込み、前記導光手段が発光して前記報知部となることを特徴とする請求項２に記載の電気掃除機。
【請求項５】
使用者が握る部位となるハンドルを有し、前記報知部は、振動を発生させることにより報知を行う振動手段であり、前記振動手段は前記ハンドルに設けられたことを特徴とする請求項１に記載の電気掃除機。
【請求項６】
前記報知部は、音声を発生することにより報知を行う音声発信手段であることを特徴とする請求項１に記載の電気掃除機。
【発明の詳細な説明】
【技術分野】
【０００１】
本発明は、電気掃除機に関する。
【背景技術】
【０００２】
従来から、内部に電動送風機と集塵部を有する本体と、この本体にホースを介して接続する手元ハンドル体（ハンドル）と、この手元ハンドル体に接続するパイプと、このパイプに接続する床面吸込み具を有する電気掃除機がある。
このような電気掃除機は、使用者の使い勝手を向上させるために、床面吸込み具を床ノズルと小型ノズルで構成したものがある。小型ノズルは床ノズルに対して着脱自在に構成されており、パイプは小型ノズルに接続して用いる。
【０００３】
この様な床面吸込み具は、小型ノズルと床ノズルが接続した状態で使用すれば、床面状において、一度に広い範囲にわたって塵挨の吸引を行うことができる。また、床ノズルから小型ノズルを外して、小型ノズルのみで使用すれば、家具の隙間など狭い領域の塵挨の吸引を行うことができる。
そして、床ノズルから小型ノズルを外す場合、床ノズル側に設けた小型ノズルの着脱レバーを操作することで、床ノズルから小型ノズルを外しやすく構成されている（例えば、特許文献１）。
【先行技術文献】
【特許文献】
【０００４】
【特許文献１】特許第５８７９４９２号公報
【発明の概要】
【発明が解決しようとする課題】
【０００５】
しかしながら、従来の床面吸込み具においては、ハンドルを持った状態でパイプに接続した状態の小型ノズルを床ノズルに取り付けて接続する際に、床ノズルに小型ノズルが正しく取り付けることができたか否か、わかり難いという課題がある。
【０００６】
本発明は上記の課題を解決する為のものであり、床面吸込み具において、床ノズルに対して、パイプの先端に接続した小型ノズルの接続状態を使用者が容易に把握することができる電気掃除機を提供するものである。
【課題を解決するための手段】
【０００７】
上記の課題を解決する為には、電気掃除機において、塵挨を集塵する集塵部と、集塵部に向けて吸引力を発生させる電動送風機と、電動送風機が発生させる吸引力により床面上の塵挨を吸引する床面吸込み具と、床面吸込み具に接続して、吸引した塵挨が集塵部へと向かう流路を形成するパイプと、を有し、床面吸込み具は、床ノズルと、床ノズルに着脱自在に設けられる小型ノズルから成り、パイプは小型ノズルに接続し、床ノズルに小型ノズルが接続することで、パイプと床面吸込み具は連通して、床面吸込み具から集塵部へと至る吸引した塵挨の流路が形成され、小型ノズルが床ノズルに正しく接続したことを報知する報知部を備えればよい。
【発明の効果】
【０００８】
本発明によれば、電気掃除域において、床面吸込み具において、床ノズルに対して、パイプの先端に接続した小型ノズルの接続状態を使用者が容易に把握することができる
【図面の簡単な説明】
【０００９】
【図１】実施の形態１に係る電気掃除機の全体図
【図２】図１の床面吸込み具を斜め前方から見た斜視図
【図３】図２の床面吸込み具において、床ノズルから小型ノズルを外した状態を示す斜視図
【図４】図２の床面吸込み具において、上ケース６１１を外した状態を示す斜視図
【図５】図４の床面吸込み具において、小型ノズルを外す動作を説明する斜視図
【図６】図１の床面吸込み具を斜め後方から見た斜視図
【図７】図６の床面吸込み具において、上ケース６１１を外した状態を示す斜視図
【図８】実施の形態２に係る床面吸込み具の小型ノズルを斜め前方から見た斜視図
【図９】実施の形態２に係る床面吸込み具を斜め前方から見た斜視図
【図１０】（ａ）図９のＡ−Ａ断面図、（ｂ）（ａ）の部分拡大図
【図１１】実施の形態３に係る床面吸込み具の小型ノズルを斜め前方から見た斜視図
【図１２】実施の形態３に係る床面吸込み具を斜め前方から見た斜視図
【図１３】（ａ）図１２のＡ−Ａ断面図、（ｂ）（ａ）の部分拡大図
【図１４】実施の形態４に係る電気掃除機のハンドルを示す斜視図
【図１５】実施の形態５に係る電気掃除機のハンドルを示す斜視図
【発明を実施するための形態】
【００１０】
（実施の形態１）
図１〜図７を参照して実施の形態１を説明する。
図１を参照して、電気掃除機１について説明する。図１は、実施の形態１における電気掃除機１を示す斜視図である。
【００１１】
図１に示すように、電気掃除機１は、本体（掃除機本体）２、ホース３、ハンドル４、延長パイプ５、床面吸込み具６を備える。
床面吸込み具６は、下向きに形成された開口から、床面上のごみ（塵埃）を空気と一緒に内部に取り込む部位である。この床面吸込み具６の吸気側の端部には、延長パイプ５に接続するパイプ接続部６５ｃが形成されている。尚、床面吸込み具６については、後に詳細に説明する。
【００１２】
次に延長パイプ５は、ハンドル４と床面吸込み具６とを接続する部位であり、全体として真直ぐな円筒状を呈する。延長パイプ５の一端部は床面吸込み具６に接続し、他端部はハンドル４（ハンドルパイプ４１）に接続する。
また、使用者は、延長パイプ５に設けられたボタン５ａの操作を行うことにより、床面吸込み具６を延長パイプ５から取り外すことができる。また、延長パイプ５は、排気側の端部に設けられた伸縮ボタン５ｂを操作することにより、延長パイプ５を伸縮させることができる。
【００１３】
次に、ハンドル４は、掃除を行う時に使用者が持つ部分であり、ハンドルパイプ４１と使用者が握る把持部４２からなる。ハンドル４の吸気側の端部は、延長パイプ５の排気側端部に接続している。使用者は、把持部４２を握り、ハンドル４を操作して、床面吸込み具６を被清掃面に向けて落ちている塵埃を吸引する。
また、使用者は、ハンドル４に設けられた解除ボタン４ａを操作することにより、延長パイプ５をハンドル４から取り外すことができる。
【００１４】
次に、ホース３は、要部が、可撓性を備えた蛇腹状である中空の部材からなる。ホース３の吸気側の端部は、ハンドル４（ハンドルパイプ４１）の排気側に接続している。ホース３は、排気側の端部は、硬質の接続部３ａを備える。この接続部３ａは本体２に接続する。
本体２は、ホース３の接続部３ａが接続し、床面吸込み具６から吸引したごみを含む空気を集塵部１２に通すことで、空気と塵埃を分離する。この本体２は、後部に開口する排気口（図示せず）より、塵埃が取り除かれた空気（清浄空気）を排出する。空気から分離したごみは、本体２の内部に溜められる。
【００１５】
以上のように各部が接続されることで、床面吸込み具６や延長パイプ５などの接続体から、ハンドル４、ホース３、そして、本体２（集塵部１２）へと至る一続きの風路が形成される。この風路は、吸引した塵挨が集塵部１２へと向かう流路である。
【００１６】
次に、本体２は内部に、電動送風機１１、集塵部１２を備える。
電動送風機１１は、電気掃除機１に形成された風路に、吸込み側である集塵接続体から排気側である排気口に向けて本体２内部に流下する気流を発生させる。つまり、電動送風機１１は、集塵部１２に向けて吸引力を発生させる。
この電動送風機１１が吸引動作を行うと、床面上のごみが空気と一緒に床面吸込み具６に吸い込まれる。床面吸込み具６に吸い込まれた含塵空気は、床面吸込み具６、延長パイプ５、ハンドル４、ホース３のそれぞれの内部を通り、本体２に送られる。
【００１７】
集塵部１２は、本体２の内部に流入したごみを空気（気流）から分離する。集塵部１２は、空気から分離したごみを捕捉する。集塵部１２は、紙パック式の分離装置や、サイクロン式の分離装置や他の方式の分離装置を用いる。
また、本体２は、両側に大型の車輪１３ａを備え、下面に小型の車輪１３ｂを備える。小型の車輪１３ｂは、その向きを自在に変えることができるように取り付けられている。このため、本体２は、大型の車輪１３ａ及び小型の車輪１３ｂが床面に接触した状態で向きを変えることができる。
【００１８】
次に、本実施の形態の要部である吸込具６について、図２〜図７を参照して説明する。
吸込具６は、床ノズル６０と、この床ノズル６０の後部中央に着脱自在に設けられる小型ノズル６５を有する。
床ノズル６０は、外殻が矩形のケース体６１からなり、ケース体６１には下向きに開口する吸込み開口６１ａと後部の左右中央部分に開口する接続開口６１ｂが形成されている。この接続開口６１ｂは、小型ノズル６５が接続する接続位置となる。
尚、ケース体６１は、上側を形成する上ケース６１１と、下側を形成する下ケース６１２が上下に合わさることで構成されている。また、吸込み開口６１ａは、下ケース６１２に開口する。接続開口６１ｂは、上ケース６１１と下ケース６１２の合わせ位置に形成されている。
【００１９】
ケース体６１の内部において、吸込み開口６１ａと接続開口６１ｂは連通している。また、吸込み開口６１ａには、回転ブラシ６２が設けられている。そして、ケース体６１には、この回転ブラシ６２を回転駆動する為の駆動部６３を有する。駆動部６３は、モーターや駆動基板やプーリーやベルトやシャフトからなる。
【００２０】
吸込み開口６１ａは、ケース体６１の内部へと床面から塵挨を吸い込む開口である。特に、吸込み開口６１ａは、内部に設けられた回転ブラシ６２が回転することで、床面から塵挨を掻き出した塵挨を吸い込む。
この様に床ノズル６０は、床面から一度に広い範囲にわたって塵挨の吸引を行うことができるノズルとなる。  
【００２１】
小型ノズル６５は、床ノズル６０の左右幅より小さく構成されており、前端にノズル吸込み開口６５ａが開口し、後端にノズル排出開口６５ｂが開口し、後部にパイプ接続部６５ｃが形成された筒状の部位である。小型ノズル６５の床ノズル６０から外した状態で使用可能であり、この場合、ノズル開口６５ａから塵挨を吸引する。
この様に、小型ノズル６５は、床ノズル６０から取り外して使用することで、床ノズル６０では入ることができない家具の隙間等の狭い領域に入れることができ、塵挨の吸引を行うことができる。
【００２２】
次に、床ノズル６０に対する小型ノズル６５の接続について説明する。
床ノズル６０に対して小型ノズル６５を接続する場合、床ノズル６０の後方から、接続開口６１ｂに対して小型ノズル６５を挿入することで、接続開口６１ｂの内部に小型ノズル６５が接続して固定される。
【００２３】
小型ノズル６５が接続開口６１ｂに固定された状態では、小型ノズル６５と床ノズル６０は一体となって床面吸込み具６となり、ケース体６１の吸込み開口６１ａから接続開口６１ｂ、そして、小型ノズル６５のノズル吸込み開口６５ａからノズル排出開口６５ｂ  に至り連通した状態となり、塵挨の流路となる。
つまり、床ノズル６０に対して小型ノズル６５を接続した状態において、吸込み開口６１から吸い込まれた塵埃はノズル排出開口６５ｂを経て、延長パイプ５へと流れていく。
【００２４】
次に、床ノズル６０からの小型ノズル６５の取り外しについて説明する。
床ノズル６０の接続開口６１ｂの近傍には、小型ノズル６５の接続開口６１ｂにおけるロックを解除して床ノズル６０から取り外す為の取外しレバー６４が設けられている。使用者は、床ノズル６０から小型ノズル６５を外したい時、取外しレバー６４を押し下げることにより、小型ノズル６５の固定が解除し、小型ノズル６５を床ノズル６０外すことができる。
【００２５】
次に、床ノズル６０には、床ノズル６０と小型ノズル６５の接続状態を報知する報知部６１ｃが設けられている。報知部６１ｃは、発光手段６１ｄとこの発光手段６１ｄの光を床ノズル６０の外側から確認可能とする確認部６１ｅから構成されている。この発光手段６１ｃは、例えば、発光ダイオードや電球などが用いられる。
【００２６】
発光手段６１ｃは、本体２にハンドル４が設けられたホース３が接続し、このハンドルに延長パイプ５が接続し、小型ノズル６５のパイプ接続部６５ｃに延長パイプ５が接続し、小型ノズル６５が床ノズルの接続開口６１ｂに接続した状態で、本体２からこれらの部位を経由して電力が供給されて発光する。
【００２７】
つまり、各部位には本体２から供給される電力を伝える電力線が設けられており、各部を接続する接続位置には、これら電力線を電気的に接続する端子が設けられている。これらの端子は、各部が正しく接続されることで、隣り合う部位に設けられた電力線を電気的に接続する。
確認部６１ｅは、発光手段６１ｄに対向した位置に形成した開口や、発光手段６１ｄの光が透過する材料により構成された窓状の部位である。
【００２８】
このように各部が構成されているので、床面吸込み具６において、使用時に、小型ノズル６５が床ノズル６１の接続開口６１ｂに正しく接続した状態のときは、本体２から床ノズル６１に電力が供給されて、発光手段６１ｃが発光する。
つまり、使用者が、報知部６１ｃを確認することで、容易に小型ノズル６５が床ノズル６１に正しく接続している状態を確認することができる。
【００２９】
また、小型ノズル６５が床ノズル６１の接続開口６１ｂに正しく接続していない状態のときは、本体２から床ノズル６１へ電力が供給されず、発光手段６１ｃが発光しない。つまり、使用者が、報知部６１ｃを確認することで、容易に小型ノズル６５が床ノズル６１に正しく接続していない状態であることを確認することができる。
【００３０】
本実施の形態において、発光手段６１ｂは床ノズル６１の設けられた形態を示したが、床ノズル６１に小型ノズル６５が接続した時に、発光手段６１ｂが発光するように構成すれば、床ノズル６１や延長パイプ５やハンドル４や本体２のいずれに設けても良い。
また、小型ノズル６５又は床ノズル６１のいずれかに、床ノズル６１に小型ノズル６５が正しく接続したか否かの状態を検出する接続状態検出手段７０（図示せず）を設け、この検出手段の検出信号に基づき、本体２に設けられた制御手段２ａが、床ノズル６１と小型ノズル６５の接続の状態を判断して、発光手段６１ｂを発光させても良い
【００３１】
尚、接続状態検出手段７０は、小型ノズル６５と床ノズル６１とが正しく接続している状態の場合、信号を発信する検出スイッチ等を用いるとよい。また、制御手段２ａは、本体２に設けられ、各種検出信号や使用者の操作入力により、電気掃除機に搭載されている電動送風機１１の出力や動作・停止、各種報知部の動作を制御する。
【００３２】
（実施の形態２）
次に、図８〜図１０を参照して、実施の形態２を説明する。尚、実施の形態１と同じ構成については、同一の符号を付し説明を省略する。
小型ノズル６５のノズル吸込み開口６５ａが開口する前面には、被清掃面を照らす照明手段６５ｄが設けられている。この照明手段６５ｄは、ノズル吸込み開口６５ａの上側に位置している。また、照明手段６５ｄは、ＬＥＤ等から構成されており、本体２から供給される電力により発光する。
【００３３】
次に、床ノズル６０には、照明手段６５ｄが発した光を導光する導光手段６６が備えられている。導光手段６６は、光を導光することが可能な透明な部材から構成されており、照明手段６５ｄの光を受ける受光面６６ａと、受光面６６ａから受けた光を導光手段６６の外に放射する発光面６６ｂと、受光面６６ａから発光面６６ｂへと光を導光する導光路６６ｃを有する。導光手段６６を構成する部材は、例えば、光を透過可能な合成樹脂やガラス、アクリル等を用いる。
【００３４】
そして、導光手段６６は、床ノズル６０の接続開口６１ｂの内部において小型ノズル６５が接続する位置側に受光面６６ａを向けると共に、床ノズル６０の上面に発光面６６ｂを向けた状態で、床ノズル６０に備えられる。
このように構成された床ノズル６０の接続開口６１ｂに小型ノズル６５が接続すると、接続開口６１ｂの内部において、小型ノズル６５に設けられた照明手段６５ｄが、導光手段６６の受光面６６ａと対向した位置関係となる。
【００３５】
従って、床ノズル６０に小型ノズル６５が正しく接続することで、照明手段６５ｄが導光手段６６の受光面６６ａと対向し、受光面６６ａは照明手段６５ｄの光を受光して導光手段６６の内部に光が導光し、導光した光が導光路６６ｃを経て、発光面６６ｂに至り、発光面６６ｂが発光する。
つまり、導光手段６６の発光面６６ｂが発光手段となり、小型ノズル６５が床ノズル６０に正しく接続したことを報知する報知部となる。
【００３６】
このように、本実施の形態のように構成することで、小型ノズル６５に設けた照明手段６５ｄを、床ノズル６０と小型ノズル６５の接続状態の確認に用いることができる。
尚、本実施の形態において、導光手段６６の発光面６６ｂを床ノズル６０上面に向けることで、接続作業を行う使用者に接続状態を見えやすく構成したが、発光面６６ｂを床ノズル６０の前方に向けることで、床ノズル６０の前方を照らすようにしても良い。
【００３７】
このように、構成することで、報知部に床面吸込み具６の前方を照らす機能を持たせることができる。
また、導光手段６６の表面に導光手段６６の内部において光を反射しやすくなるように反射膜を設けて、受光面６６ａから導光路６６ｃに入り込んだ光を、効率よく発光面６６ｂに至るように構成しても良い。
【００３８】
（実施の形態３）
次に、図１１〜図１３を参照して、実施の形態３を説明する。尚、実施の形態１と同じ構成については、同一の符号を付し説明を省略する。
小型ノズル６５のノズル吸込み開口６５ａが開口する前面には、被清掃面を照らす照明手段６５ｄが設けられている。この照明手段６５ｄは、ノズル吸込み開口６５ａの上側に位置している。また、照明手段６５ｄは、ＬＥＤ等から構成されており、本体２から供給される電力により発光する。
【００３９】
また、小型ノズル６５には、光を導光する導光手段６７が設けられている。導光手段６７は、光を導光することが可能な透明な部材から構成されており、光を受ける受光面６７ａと、受光面６７ａから受けた光を導光手段６７の外に放射する発光面６７ｂと、受光面６７ａから発光面６７ｂへと光を導光する導光路６７ｃを有する。
導光手段６７を構成する部材は、例えば、光を透過可能な合成樹脂やガラス、アクリル等を用いる。
【００４０】
この導光手段６７は、小型ノズル６５のノズル吸込み開口６５ａが開口する前面に受光面６７ａが位置し、小型ノズル６５の上面に発光面６７ｂを向けた状態で、小型ノズル６５に備えられる。また、床ノズル６０の接続開口６１ｂの内部には、光を反射する反射部６８が設けられている。  
【００４１】
このように構成された床ノズル６０の接続開口６１ｂに小型ノズル６５が接続すると、接続開口６１ｂの内部において、小型ノズル６５に設けられた照明手段６５ｄが、床ノズル６０に設けられた反射部６８と対向した位置関係となる。
更に、床ノズル６０の接続開口６１ｂに小型ノズル６５が接続した状態において、反射部６８と受光面６７ａが対向した位置関係となる。
【００４２】
以上のように各部を構成すると、床ノズル６０の接続開口６１ｂに小型ノズル６５が正しく接続した状態において、照明手段６５ｄと反射部６８が対向し、反射部６８と受光面６７ａが対向する位置関係となる。
従って、照明手段６５ｄからの光は、反射部６８で反射し、受光面６７ａから導光手段６７へ入射する。導光手段６７に入射した光は、導光路６７ｃを通り、発光面６７ｂへと至り、発光面が発光する。
つまり、導光手段６７の発光面６７ｂが発光手段となり、小型ノズル６５が床ノズル６０に正しく接続したことを報知する報知部となる。
【００４３】
（実施の形態４）
次に、図１４を参照して、実施の形態４を説明する。尚、実施の形態１と同じ構成については、同一の符号を付し説明を省略する。
ハンドル４の使用者が握る把持部４２には、振動手段８０が設けられている。振動手段８０は、例えば、回転駆動することにより振動を生じさせる振動モーター等を用いる。振動手段８０は、本体２から動作の為の電力を供給され、制御手段２ａにより動作を制御される。
【００４４】
以上のように各部を構成された電気掃除機は、小型ノズル６５と床ノズル６０が正しく接続することにより、接続状態検出手段７０からの信号が制御手段２ａに入力する。制御手段２ａは、この入力に基づき、振動手段８０を一定時間駆動する。
これにより、把持部４２から使用者へと振動が伝わり、使用者は、小型ノズル６５と床ノズル６０が正しく接続したことを知ることができる。
つまり、振動手段８０は、小型ノズル６５が床ノズル６０に正しく接続したことを報知する報知部となる。
【００４５】
（実施の形態５）
次に、図１５を参照して、実施の形態５を説明する。尚、実施の形態１と同じ構成については、同一の符号を付し説明を省略する。
ハンドル４には、音声発信手段９０が設けられている。音声発信手段９０は、例えば、スピーカーやブザー等が用いる。音声発信手段９０は、本体２から動作の為の電力を供給され、制御手段２ａにより動作を制御される。
【００４６】
以上のように各部を構成された電気掃除機は、小型ノズル６５と床ノズル６０が正しく接続することにより、接続状態検出手段７０からの信号が制御手段２ａに入力する。制御手段２ａは、この入力に基づき、音声発信手段９０を動作させて、音声を発信する。
音声は、ブザー音や、「小型ノズルが床ノズルに接続しました」等の音声でもよい。この音声により、使用者は、小型ノズル６５と床ノズル６０が正しく接続したことを知ることができる。
【００４７】
つまり、音声発信手段９０は、小型ノズル６５が床ノズル６０に正しく接続したことを報知する報知部となる。また、ハンドル４に音声発信手段９０を設けたので、より使用者に近い位置で音声を発信することができる。
尚、本実施の形態において、ハンドルに音声発信手段９０を設けたが、本体２や延長パイプ５や床面吸込み具６に設けても良い。
【符号の説明】
【００４８】
１  電気掃除機
２  掃除機本体（本体）
２ａ  制御手段
３  ホース
３ａ  接続部
４  ハンドル
４１  ハンドルパイプ
４２  把持部
５  延長パイプ
６  床面吸込み具
１１  電動送風機
１２  集塵部
１３ａ  大型の車輪
１３ｂ  小型の車輪
６０  床ノズル
６１  ケース体
６１ａ  吸込み開口
６１ｂ  接続開口
６１ｃ  報知部
６１ｄ  発光手段
６１ｅ  確認部
６１１  上ケース体
６１２  下ケース体
６２  回転ブラシ
６３  駆動部
６４  取外しレバー
６５  小型ノズル
６５ａ  ノズル吸込み開口
６５ｂ  ノズル排出開口
６５ｃ  パイプ接続部
６５ｄ  照明手段
６６  導光手段
６６ａ  受光面
６６ｂ  発光面
６６ｃ  導光路
６７  導光手段
６７ａ  受光面
６７ｂ  発光面
６７ｃ  導光路
６８  反射部
７０  接続状態検出手段
８０  振動手段
９０  音声発信手段
【図１】
2018175753.tif 000003
【図２】
2018175753.tif 000004
【図３】
2018175753.tif 000005
【図４】
2018175753.tif 000006
【図５】
2018175753.tif 000007
【図６】
2018175753.tif 000008
【図７】
2018175753.tif 000009
【図８】
2018175753.tif 000010
【図９】
2018175753.tif 000011
【図１０】
2018175753.tif 000012
【図１１】
2018175753.tif 000013
【図１２】
2018175753.tif 000014
【図１３】
2018175753.tif 000015
【図１４】
2018175753.tif 000016
【図１５】
2018175753.tif 000017